(57)【要約】      （修正有）【課題】取替可能ルーペの回転整列を提供すること【解決手段】取替可能ルーペデバイスであって、アンカアセンブリ８０２Ａ，８０２Ｂと、中心縦軸、光学軸Ｏ１，Ｏ２、および視野平面を画定する、望遠鏡アセンブリ８０８Ａ，８０８Ｂであって、視野平面は、水平軸および垂直軸を有し、光学軸は、中心縦軸から逸脱し、望遠鏡アセンブリは、光学軸の逸脱が視野平面の水平軸に沿って配向されるような配向に中心縦軸を中心として回転可能である、望遠鏡アセンブリと、を備え、望遠鏡アセンブリは、アンカアセンブリ内の対応する幾何学的特徴と噛合し、それによって、光学軸の逸脱の配向を前記水平軸に沿って固定するように構成される、幾何学的特徴を備える。【選択図】図８
2019008273.tif 000002
【特許請求の範囲】
【請求項１】
取替可能ルーペデバイスであって、
アンカアセンブリと、
中心縦軸、光学軸、および視野平面を画定する、望遠鏡アセンブリであって、前記視野平面は、水平軸および垂直軸を有し、前記光学軸は、前記中心縦軸から逸脱し、前記望遠鏡アセンブリは、前記光学軸の逸脱が前記視野平面の水平軸に沿って配向されるような配向に前記中心縦軸を中心として回転可能である、望遠鏡アセンブリと、
を備え、
前記望遠鏡アセンブリは、前記アンカアセンブリ内の対応する幾何学的特徴と噛合し、それによって、前記光学軸の逸脱の配向を前記水平軸に沿って固定するように構成される、幾何学的特徴を備える、取替可能ルーペデバイス。
【請求項２】
前記光学軸の逸脱は、０．３〜０．７メートルの作業距離において前記取替可能ルーペデバイスを使用して、０．５プリズムジオプタを上回る垂直不平衡を実践者に生じさせるために十分である、請求項１に記載の取替可能ルーペデバイス。     
【請求項３】
前記幾何学的特徴は、突出部を備え、
前記対応する幾何学的特徴は、前記突出部を受容するように構成される切り欠きを備える、
請求項２に記載の取替可能ルーペデバイス。
【請求項４】
前記望遠鏡アセンブリは、前記望遠鏡アセンブリの第１の磁気要素と前記アンカアセンブリの第２の磁気要素との間の磁気引力によって前記アンカアセンブリに保持される、請求項１に記載の取替可能ルーペデバイス。
【請求項５】
前記第１の磁気要素は、鋼鉄リングを備える、請求項４に記載の取替可能ルーペデバイス。
【請求項６】
前記鋼鉄リングは、前記幾何学的特徴を備える、請求項５に記載の取替可能ルーペデバイス。
【請求項７】
前記鋼鉄リングは、前記光学軸の逸脱を前記水平軸に沿って配向後、前記望遠鏡アセンブリに固定されるように構成される、請求項５に記載の取替可能ルーペデバイス。
【請求項８】
前記幾何学的特徴は、前記望遠鏡アセンブリの幾何学的特徴が前記アンカアセンブリの対応する幾何学的特徴と噛合後、外部から可視である、請求項１に記載の取替可能ルーペデバイス。
【請求項９】
前記望遠鏡アセンブリは、第１の望遠鏡アセンブリであり、前記ルーペデバイスは、第２の望遠鏡アセンブリをさらに備える、請求項１に記載の取替可能ルーペデバイス。
【請求項１０】
前記第１の望遠鏡アセンブリは、第１の拡大レベルを提供し、
前記第２の望遠鏡アセンブリは、第２の拡大レベルを提供する、
請求項９に記載の取替可能ルーペデバイス。
【請求項１１】
前記第１の望遠鏡アセンブリは、前記アンカアセンブリと噛合するように構成され、
前記第２の望遠鏡アセンブリは、前記アンカアセンブリと噛合するように構成される、
請求項１０に記載の取替可能ルーペデバイス。
【請求項１２】
前記アンカアセンブリは、第１のアンカアセンブリであり、
前記第１の望遠鏡アセンブリは、前記第１のアンカアセンブリと噛合するように構成され、
前記第２の望遠鏡アセンブリは、第２のアンカアセンブリと噛合するように構成される、
請求項９に記載の取替可能ルーペデバイス。
【請求項１３】
物体を拡大するためのルーペデバイスであって、前記ルーペデバイスは、近位端および遠位端を有し、
フレームであって、
担体レンズと、
アンカアセンブリと、
を備える、フレームと、
錘を有し、視野平面を画定する、取替可能望遠鏡アセンブリであって、前記取替可能望遠鏡アセンブリは、少なくとも１つの拡大レンズを備え、前記アンカアセンブリと噛合するように構成され、前記取替可能望遠鏡アセンブリおよび前記アンカアセンブリの噛合は、前記アンカアセンブリに対する前記望遠鏡アセンブリの回転を防止する、取替可能望遠鏡アセンブリと、
を備え、
前記取替可能望遠鏡アセンブリおよび前記アンカアセンブリの噛合に応じて、
前記取替可能望遠鏡アセンブリは、磁気引力によって前記アンカアセンブリに保持され、
前記取替可能望遠鏡アセンブリに添着される割出リングが、前記望遠鏡の光学軸の逸脱が前記視野平面の水平軸に沿って配向されるように、前記取替可能望遠鏡アセンブリを前記アンカアセンブリに対して配向する、
ルーペデバイス。
【請求項１４】
前記取替可能望遠鏡アセンブリは、少なくとも１つの磁気要素を備え、前記アンカアセンブリは、少なくとも１つの磁気要素を備える、請求項１３に記載のルーペデバイス。
【請求項１５】
ルーペデバイスであって、前記ルーペデバイスは、前記ルーペデバイスから離間される物体を拡大し、前記ルーペデバイスは、
アンカアセンブリであって、
第１の幾何学的特徴を有する、アンカ本体と、
第１の磁気要素と、
を備える、アンカアセンブリと、
取替可能望遠鏡アセンブリであって、
拡大レンズと、
第２の磁気要素と、
前記第１の幾何学的特徴と噛合するように構成される第２の幾何学的特徴を備える、割出リングと、
を備える、取替可能望遠鏡アセンブリと、
を備え、
前記取替可能望遠鏡アセンブリは、前記第１の磁気要素と前記第２の磁気要素との間の磁気引力によって前記アンカアセンブリに保持されるように構成され、
前記第２の幾何学的特徴は、前記第１の幾何学的特徴と噛合され、前記取替可能望遠鏡アセンブリを前記アンカアセンブリに対して回転しないように固定する、
ルーペデバイス。
【請求項１６】
前記第２の幾何学的特徴は、前記第１の幾何学的特徴と噛合されると、前記取替可能望遠鏡アセンブリの光学軸と関連付けられた任意の逸脱が事前に画定された配向に固定されるように、前記取替可能望遠鏡アセンブリを前記アンカアセンブリに対して回転しないように固定する、請求項１５に記載のルーペデバイス。
【請求項１７】
前記事前に画定された配向は、前記物体を前記取替可能望遠鏡アセンブリを通して視認するとき、複視を実質的に排除する、請求項１６に記載のルーペデバイス。
【請求項１８】
ルーペシステムを製造する方法であって、前記ルーペシステムは、アンカアセンブリと、取替可能望遠鏡アセンブリとを備え、前記取替可能望遠鏡アセンブリは、前記アンカアセンブリの遠位端に解放可能に固定されるように構成される、近位端を有し、前記方法は、
前記光学軸の垂直逸脱を最小限にする、前記取替可能望遠鏡アセンブリの光学軸の整列を判定するステップと、
前記取替可能望遠鏡アセンブリが前記アンカアセンブリに解放可能に固定されたときに、前記割出リングが、前記取替可能望遠鏡アセンブリを前記光学軸の垂直逸脱を最小限にする整列に位置付けるように、割出リングを前記取替可能望遠鏡アセンブリに固定するステップと、
を含む、方法。
【請求項１９】
前記判定するステップは、試験具を使用して前記光学軸をレーザ整列させるステップを含む、請求項１８に記載の方法。
【請求項２０】
突起を前記割出リング内に形成するステップと、
切り欠きを前記アンカアセンブリ内に形成するステップであって、前記切り欠きは、前記突起を受容するように構成される、ステップと、
をさらに含む、請求項１８に記載の方法。
【請求項２１】
切り欠きを前記割出リング内に形成するステップと、
前記切り欠きと噛合するように構成される突起を前記アンカアセンブリ内に形成するステップと、
をさらに含む、請求項１８に記載の方法。
【発明の詳細な説明】
【技術分野】
【０００１】
（関連出願の相互参照）
本願は、２０１７年３月２８日に出願された米国仮出願第６２／４７７，５５８号の非仮出願であり、該米国仮出願は、その全体が参照により本明細書中に援用される。
【０００２】
本開示の側面は、概して、光学デバイスに関する。より具体的には、本開示は、装着可能視覚補助具、特に、ルーペに関する。
【背景技術】
【０００３】
ルーペデバイスは、実践精密歯科および外科手術手技を行うために、および高解像度視覚情報が望ましい他の分野（例えば、生検、電子機器組立および検査、宝石学、ツール鋭利化、または写真）においても使用される。ルーペは、専門家に、同時に手技を行うために手を自由にしながら、精密要求手技の拡大図を提供する。歯科医、外科医、および他の実践者は、多くの場合、レンズ上にフリップして持ち上げるタイプか、または特殊担体レンズ内に直接埋設されるかのいずれかとして、眼鏡上に搭載された双眼ルーペの使用を採用する。ルーペデバイスは、実践者が、作業面積または場からより離れて立つことを可能にし得る。ルーペは、したがって、実践者の姿勢を改善することができ、ひいては、実践者の職業上の負担を軽減させることができる（例えば、Ｆｒｉｅｄｍａｎ，  Ｍａｒｋ  Ｊ．”Ｍａｇｎｉｆｉｃａｔｉｏｎ  ｉｎ  ａ  ｒｅｓｔｏｒａｔｉｖｅ  ｄｅｎｔａｌ  ｐｒａｃｔｉｃｅ：ｆｒｏｍ  ｌｏｕｐｅｓ  ｔｏ  ｍｉｃｒｏｓｃｏｐｅｓ”．Ｃｏｍｐｅｎｄｉｕｍ  ｏｆ  Ｃｏｎｔｉｎｕｉｎｇ  Ｅｄｕｃａｔｉｏｎ  ｉｎ  Ｄｅｎｔｉｓｔｒｙ−Ｊａｍｅｓｂｕｒｇ，  ＮＪ：１９９５  ２５（１）４８，５０，５３−５５参照）。
【０００４】
多くの場合、医療、歯科、または他の実践者は、異なる手技のために異なる拡大率を使用する。実践者はまた、その経過が進行するにつれて、倍率の増加を要求し得る。例えば、典型的歯科手技は、２．５倍の拡大率によって供給され得るが、実践では、歯科ルーペは、概して、２倍〜８倍の拡大率のいずれかを提供する。
【０００５】
レンズのその中への組立に応じて、ルーペデバイスの望遠鏡または接眼レンズは、光学軸を画定する。光学軸は、理想的には、接眼レンズの中心を正確に通って位置付けられるべきであるが、多くの場合、真の中心から若干の逸脱を呈し得る。多くの接眼レンズは、０．５度もの光学軸逸脱を呈する。約１８インチの典型的作業距離では、０．５度の本逸脱は、約４ｍｍもの逸脱に変換され得、これは、精密な医療または他の作業を行おうとするとき、負の結果を有し得る。
【０００６】
ルーペデバイスまたは接眼レンズの最適機能性を確実にするために、実践者の拡大された視覚視野に及ぼす逸脱の悪影響を最小限にすることが望ましいであろう。
【先行技術文献】
【非特許文献】
【０００７】
【非特許文献１】Ｆｒｉｅｄｍａｎ，  Ｍａｒｋ  Ｊ．”Ｍａｇｎｉｆｉｃａｔｉｏｎ  ｉｎ  ａ  ｒｅｓｔｏｒａｔｉｖｅ  ｄｅｎｔａｌ  ｐｒａｃｔｉｃｅ：ｆｒｏｍ  ｌｏｕｐｅｓ  ｔｏ  ｍｉｃｒｏｓｃｏｐｅｓ”．Ｃｏｍｐｅｎｄｉｕｍ  ｏｆ  Ｃｏｎｔｉｎｕｉｎｇ  Ｅｄｕｃａｔｉｏｎ  ｉｎ  Ｄｅｎｔｉｓｔｒｙ−Ｊａｍｅｓｂｕｒｇ，  ＮＪ：１９９５  ２５（１）４８，５０，５３−５５
【発明の概要】
【課題を解決するための手段】
【０００８】
本開示は、前述の問題に対する解決策を具現化する。本開示の目的は、効果的で、信頼性があって、実践的、かつ使用が容易である、ルーペデバイス内の複数の拡大率レベルに適応するための装置および方法を提供することである。さらに、本開示の目的は、解放可能に取り付けられた望遠鏡を含む、ルーペデバイス内の複視、すなわち、二重視を低減させるための方法および装置を提供することである。
（摘要）
取替可能なルーペ望遠鏡のための回転整列装置および方法が、提供される。いくつかの実施形態は、突起を含む、割出リングを含む。リングは、望遠鏡の回転整列に応じて、望遠鏡に固定される。整列は、レーザおよび試験具の使用を伴ってもよい。突起は、ルーペ係留デバイスの対応する割出ノッチと噛合する。ルーペは、１つまたはそれを上回るアンカアセンブリと、１つまたはそれを上回る取替可能望遠鏡アセンブリとを備えてもよい。取替可能望遠鏡アセンブリは、対応するアセンブリの対応する表面に添着された１つまたはそれを上回る磁石および／または１つまたはそれを上回る磁気構成要素間の磁気引力によって、アンカアセンブリに保持される。突起とノッチの噛合は、アセンブリの適切な相対的回転整列を確実にする。
【図面の簡単な説明】
【０００９】
本開示の目的および利点は、類似参照文字が全体を通して類似部品を指す、添付図面と併せて解釈される、以下の発明を実施するための形態を考慮することによって明白となるであろう。
【００１０】
【図１】図１は、本開示の原理による、例証的装置を示す。
【００１１】
【図２】図２は、図１に示される装置の例証的拡大図を示す。
【００１２】
【図３】図３は、図１および図２に示される装置の例証的構成を示す。
【００１３】
【図４】図４は、図１に示される装置の例証的部分断面図を示す。
【００１４】
【図５】図５は、図３に示される装置の例証的部分断面図を示す。
【００１５】
【図６】図６は、図１−４に示される装置の例証的構成と、構成と関連付けられた例証的参照情報とを示す。
【００１６】
【図７】図７は、図１に示される装置の例証的構成と、構成と関連付けられた例証的参照情報とを示す。
【００１７】
【図８】図８は、本開示の原理による、例証的装置と、例証的参照情報とを示す。
【００１８】
【図９】図９は、図８に示される装置の例証的構成を示す。
【００１９】
【図１０】図１０は、図８および９に示される装置の例証的構成を示す。
【００２０】
【図１１】図１１は、図１０に示される装置の例証的構成と、構成と関連付けられた例証的参照情報とを示す。
【００２１】
【図１２】図１２は、本開示の原理による、例証的プロセスを示す。
【００２２】
【図１３Ａ】図１３Ａは、本開示の原理による、例証的装置と、例証的参照情報とを示す。
【００２３】
【図１３Ｂ】図１３Ｂは、本開示の原理による、例証的装置と、例証的参照情報とを示す。
【発明を実施するための形態】
【００２４】
第１の局面において、本発明は、取替可能ルーペデバイスを提供し、該取替可能ルーペデバイスは、アンカ（あるいは係留）アセンブリと、中心縦軸、光学軸、および視野平面を画定する、望遠鏡アセンブリであって、前記視野平面は、水平軸および垂直軸を有し、前記光学軸は、前記中心縦軸から逸脱し、前記望遠鏡アセンブリは、前記光学軸の逸脱が前記視野平面の水平軸に沿って配向されるような配向に前記中心縦軸を中心として回転可能である、望遠鏡アセンブリと、を備え、前記望遠鏡アセンブリは、前記アンカアセンブリ内の対応する幾何学的特徴と噛合し、それによって、前記光学軸の逸脱の配向を前記水平軸に沿って固定するように構成される、幾何学的特徴を備える。
【００２５】
好ましい特徴は、前記光学軸の逸脱は、０．３〜０．７メートルの作業距離において前記取替可能ルーペデバイスを使用して、０．５プリズムジオプタを上回る垂直不平衡を実践者に生じさせるために十分であることを含む。
【００２６】
好ましい特徴は、前記幾何学的特徴は、突出部を備え、前記対応する幾何学的特徴は、前記突出部を受容するように構成される切り欠きを備えることを含む。
【００２７】
好ましい特徴は、前記望遠鏡アセンブリは、前記望遠鏡アセンブリの第１の磁気要素と前記アンカアセンブリの第２の磁気要素との間の磁気引力によって前記アンカアセンブリに保持されることを含む。
【００２８】
好ましい特徴は、前記第１の磁気要素は、鋼鉄リングを備えることを含む。
【００２９】
好ましい特徴は、前記鋼鉄リングは、前記幾何学的特徴を備えることを含む。
【００３０】
好ましい特徴は、前記鋼鉄リングは、前記光学軸の逸脱を前記水平軸に沿って配向後、前記望遠鏡アセンブリに固定されるように構成されることを含む。
【００３１】
好ましい特徴は、前記幾何学的特徴は、前記望遠鏡アセンブリの幾何学的特徴が前記アンカアセンブリの対応する幾何学的特徴と噛合後、外部から可視であることを含む。
【００３２】
好ましい特徴は、前記望遠鏡アセンブリは、第１の望遠鏡アセンブリであり、前記ルーペデバイスは、第２の望遠鏡アセンブリをさらに備えることを含む。
【００３３】
好ましい特徴は、前記第１の望遠鏡アセンブリは、第１の拡大レベルを提供し、前記第２の望遠鏡アセンブリは、第２の拡大レベルを提供することを含む。
【００３４】
好ましい特徴は、前記第１の望遠鏡アセンブリは、前記アンカアセンブリと噛合するように構成され、前記第２の望遠鏡アセンブリは、前記アンカアセンブリと噛合するように構成されることを含む。
【００３５】
好ましい特徴は、前記アンカアセンブリは、第１のアンカアセンブリであり、前記第１の望遠鏡アセンブリは、前記第１のアンカアセンブリと噛合するように構成され、前記第２の望遠鏡アセンブリは、第２のアンカアセンブリと噛合するように構成されることを含む。
【００３６】
第２の局面において、本開示は、物体を拡大するためのルーペデバイスを提供し、前記ルーペデバイスは、近位端および遠位端を有し、フレームであって、担体レンズと、アンカアセンブリと、を備える、フレームと、錘を有し、視野平面を画定する、取替可能望遠鏡アセンブリであって、前記取替可能望遠鏡アセンブリは、少なくとも１つの拡大レンズを備え、前記アンカアセンブリと噛合するように構成され、前記取替可能望遠鏡アセンブリおよび前記アンカアセンブリの噛合は、前記アンカアセンブリに対する前記望遠鏡アセンブリの回転を防止する、取替可能望遠鏡アセンブリと、を備え、前記取替可能望遠鏡アセンブリおよび前記アンカアセンブリの噛合に応じて、前記取替可能望遠鏡アセンブリは、磁気引力によって前記アンカアセンブリに保持され、前記取替可能望遠鏡アセンブリに添着される割出リングが、前記望遠鏡の光学軸の逸脱が前記視野平面の水平軸に沿って配向されるように、前記取替可能望遠鏡アセンブリを前記アンカアセンブリに対して配向する。
【００３７】
好ましい特徴は、前記取替可能望遠鏡アセンブリは、少なくとも１つの磁気要素を備え、前記アンカアセンブリは、少なくとも１つの磁気要素を備えることを含む。
【００３８】
第３の局面において、本開示は、ルーペデバイスを提供し、前記ルーペデバイスは、前記ルーペデバイスから離間される物体を拡大し、前記ルーペデバイスは、アンカアセンブリであって、第１の幾何学的特徴を有する、アンカ本体と、第１の磁気要素と、を備える、アンカアセンブリと、取替可能望遠鏡アセンブリであって、拡大レンズと、第２の磁気要素と、前記第１の幾何学的特徴と噛合するように構成される第２の幾何学的特徴を備える、割出リングと、を備える、取替可能望遠鏡アセンブリと、を備え、前記取替可能望遠鏡アセンブリは、前記第１の磁気要素と前記第２の磁気要素との間の磁気引力によって前記アンカアセンブリに保持されるように構成され、前記第２の幾何学的特徴は、前記第１の幾何学的特徴と噛合され、前記取替可能望遠鏡アセンブリを前記アンカアセンブリに対して回転しないように固定する。
【００３９】
好ましい特徴は、前記第２の幾何学的特徴は、前記第１の幾何学的特徴と噛合されると、前記取替可能望遠鏡アセンブリの光学軸と関連付けられた任意の逸脱が事前に画定された配向に固定されるように、前記取替可能望遠鏡アセンブリを前記アンカアセンブリに対して回転しないように固定することを含む。
【００４０】
好ましい特徴は、前記事前に画定された配向は、前記物体を前記取替可能望遠鏡アセンブリを通して視認するとき、複視を実質的に排除することを含む。
【００４１】
第４の局面において、本開示は、ルーペシステムを製造する方法を提供し、前記ルーペシステムは、アンカアセンブリと、取替可能望遠鏡アセンブリとを備え、前記取替可能望遠鏡アセンブリは、前記アンカアセンブリの遠位端に解放可能に固定されるように構成される、近位端を有し、前記方法は、前記光学軸の垂直逸脱を最小限にする、前記取替可能望遠鏡アセンブリの光学軸の整列を判定するステップと、前記取替可能望遠鏡アセンブリが前記アンカアセンブリに解放可能に固定されたときに、前記割出リングが、前記取替可能望遠鏡アセンブリを前記光学軸の垂直逸脱を最小限にする整列に位置付けるように、割出リングを前記取替可能望遠鏡アセンブリに固定するステップと、を含む。
【００４２】
好ましい特徴は、前記判定するステップは、試験具を使用して前記光学軸をレーザ整列させるステップを含むことを含む。
【００４３】
好ましい特徴は、突起を前記割出リング内に形成するステップと、切り欠きを前記アンカアセンブリ内に形成するステップであって、前記切り欠きは、前記突起を受容するように構成される、ステップと、を含む。
【００４４】
好ましい特徴は、切り欠きを前記割出リング内に形成するステップと、前記切り欠きと噛合するように構成される突起を前記アンカアセンブリ内に形成するステップと、を含む。
【００４５】
実践者（例えば、医療実践者）は、典型的には、異なる手技を行うとき、異なる拡大倍率を要求する。実践者は、その経過が進行するにつれて、拡大倍率の増加を要求し得る。本明細書で説明される装置および方法は、実践者が、ルーペデバイスを使用するとき、接眼レンズ（望遠鏡アセンブリ）を迅速に変更することを可能にする。望遠鏡アセンブリは、磁気引力によってアンカアセンブリに保持され、それによって、望遠鏡アセンブリがアンカアセンブリ内外で容易に交換されることを可能にし得る。
【００４６】
好ましくは、ルーペデバイスは、取替可能であることができる。取替可能ルーペデバイスは、複数の接眼レンズが単一担体またはアンカアセンブリと併用されることを可能にする。各接眼レンズは、異なるレベルの拡大率を提供してもよい。各接眼レンズは、手技の異なる段階の間、実践者によって使用されてもよい。担体は、異なる接眼レンズが、手技の間、内外で交換されることを可能にする。
【００４７】
取替可能ルーペデバイスの場合、手技の間、移動可能望遠鏡の整列を維持することが必要であり得る。例えば、取替可能接眼レンズは、使用の間、その係留基部内で意図せずに回転し得る。回転は、複視、すなわち、二重視をユーザに誘起し得る。複視、すなわち、二重視は、ユーザを混乱させ、進行中の手技を中断させる。
【００４８】
望遠鏡アセンブリ等の複合光学システムは、典型的には、望遠鏡アセンブリの中心を通して延びる光学軸を有する。しかしながら、光学軸は、真の中心から若干の逸脱を有し得る。例えば、逸脱は、真の中心から≦０．５°の逸脱であり得る。１８インチ（実践者の平均作業距離）の距離では、逸脱は、３．９ミリメートル（「ｍｍ」）にもなり得る。任意のそのような逸脱を望遠鏡アセンブリによって提供される視野平面の水平軸（垂直軸と対照的）に沿って整列または配向することが好ましいであろう。故に、任意のそのような光学軸逸脱を割出／配向することが望ましいであろう。
【００４９】
装置および方法は、望遠鏡アセンブリに添着される割出特徴を含んでもよい。割出特徴は、望遠鏡アセンブリを保持するアンカアセンブリ内の対応する割出特徴と噛合してもよい。割出特徴の噛合は、好ましくは、望遠鏡アセンブリが適切に配向されることを保証する。望遠鏡アセンブリの割出がない場合、望遠鏡アセンブリは、アンカアセンブリ内で回転し得る。アンカアセンブリ内の望遠鏡アセンブリの回転は、光学軸逸脱が視野平面の垂直軸に沿って配向されることを可能にし得る。視野平面の垂直軸に沿って配向される光学軸逸脱は、複視（二重視）および垂直不平衡を生じさせ得る。典型的実践者は、垂直不平衡の約０．５プリズムジオプタ（０．５６）に対して調節し得る。視野平面の水平軸に沿った任意の逸脱の割出は、好ましくは、光学軸逸脱に起因する任意のそのような垂直不平衡を排除する。
【００５０】
好ましくは、アンカアセンブリは、眼鏡フレームの担体レンズ上に搭載される。アンカアセンブリは、実践者の所望の作業距離における空間内のある点に集束されるように、担体上に位置付けられてもよい。アンカアセンブリは、その内側の補正（例えば、処方）レンズを収容し、実践者の視覚の欠点を補正してもよい。アンカアセンブリは、好ましくは、磁気要素を含有する。
【００５１】
望遠鏡アセンブリは、好ましくは、アンカアセンブリ上に搭載されると、望遠鏡アセンブリが実践者の所望の作業距離における空間内のある点に集束されるように構成される。望遠鏡アセンブリは、好ましくは、アンカアセンブリに添着される磁気要素に接着する、磁気要素を具備する。望遠鏡アセンブリは、好ましくは、磁気要素間の引力によって定位置に保持される。引動力が、典型的には、望遠鏡アセンブリをアンカアセンブリから除去するために要求される。
【００５２】
望遠鏡アセンブリは、好ましくは、試験具を使用して整列され、任意の光学軸逸脱が実践者の視野の水平軸に沿って配向されることを確実にするように回転される。望遠鏡アセンブリは、好ましくは、割出特徴を含む。割出特徴は、アンカアセンブリ内の対応する特徴と噛合するように構成される。割出特徴は、好ましくは、整列された後、望遠鏡アセンブリに添着される。したがって、割出特徴は、好ましくは、望遠鏡アセンブリがアンカアセンブリから除去され、および／またはアンカアセンブリの中に再挿入されると、望遠鏡アセンブリの光学軸が、任意の垂直不平衡を排除または低減させるように整列されることを確実にする。
【００５３】
取替可能ルーペの接眼レンズ等、光学デバイスを回転整列させるための装置および方法が、提供される。接眼レンズ内に存在する逸脱は、垂直平面において配向され得る。垂直平面における逸脱の配向は、垂直不平衡と、複視、すなわち、二重視とを誘起し得る。多くの実践者は、垂直不平衡の約０．５プリズムジオプタ（０．５６）に対してのみ調節する。本開示は、特に、取替可能望遠鏡または接眼レンズ内の垂直不平衡を最小限にする、排除する、または防止する、方法および装置を提供する。
【００５４】
本装置は、磁気引力または他の好適な解放可能係合機構によってともに保持されるように構成される、構成要素の１つまたはそれを上回るアセンブリを含んでもよく、本方法は、それを伴ってもよい。本装置は、１つまたはそれを上回るルーペアンカ（代替として、スリーブとして説明される）または係留アセンブリ（代替として、スリーブアセンブリとして説明される）と、１つまたはそれを上回る取替可能ルーペ望遠鏡（代替として、接眼レンズまたは望遠鏡アセンブリとして説明される）とを含んでもよく、本方法は、それを伴ってもよい。
【００５５】
好ましくは、本明細書に開示される装置および方法は、ユーザが、磁気スリーブ／アンカに解放可能に添着される接眼レンズまたは望遠鏡（以降、「望遠鏡」）を迅速に変更することを可能にする。望遠鏡／アセンブリは、好ましくは、１つまたはそれを上回る拡大レンズを含む。望遠鏡は、好ましくは、アンカアセンブリの中への交換可能挿入のために構成される。望遠鏡は、好ましくは、アンカアセンブリからの交換可能除去のために構成される。
【００５６】
好ましくは、望遠鏡がアンカアセンブリ内に着座されると、望遠鏡は、その間の磁気引力によってアンカアセンブリに保持されるように構成される。磁気引力は、１つまたはそれを上回る磁気要素と相互作用する、１つまたはそれを上回る磁石によって提供される。磁石および／または磁気要素は、引力が望遠鏡をアンカから係脱させ得る典型的な非意図的に印加される力に耐えるために十分であるように構成される。力は、ルーペデバイスにかかる重力を含む。望遠鏡の重量は、少なくとも重力を克服するために必要とされる磁石および磁気要素の構成を判定し得る。
【００５７】
随意に、望遠鏡は、１つまたはそれを上回る磁石を含み、アンカアセンブリは、磁気引力を提供するように配向および構成される、１つまたはそれを上回る磁気要素を含む。代替として、または加えて、望遠鏡は、１つまたはそれを上回る磁気要素を含み、アンカアセンブリは、磁気引力を提供するように配向および構成される、１つまたはそれを上回る磁石を含む。
【００５８】
好ましくは、磁気要素の形状およびサイズは、それらが容易に製造されるように選択される。磁気要素の形状およびサイズは、それらがルーペアセンブリの他の構成要素と容易に噛合するように選択される。例えば、磁気要素は、１つまたはそれを上回るルーペサブアセンブリ（例えば、アンカカバーおよびアンカ本体）の対応する円形陥凹内に共形化する、湾曲表面を含んでもよい。好ましくは、磁気要素は、伸長円筒形形状を有する。伸長円筒形形状は、近位および遠位端を有する。「近位」および「遠位」は、ルーペデバイスを装着している実践者に対して定義され得る。近位は、実践者により近くあり得、遠位は、実践者からより離れ得る。近位および遠位端は、縦軸を画定してもよい。
【００５９】
磁気要素は、任意の好適な長さであってもよい。例証的長さは、約２ｍｍ〜約３ｍｍ、約３ｍｍ〜約４ｍｍ、約４ｍｍ〜約５ｍｍ、約５ｍｍ〜約６ｍｍ、約６ｍｍ〜約７ｍｍ、約７ｍｍ〜約８ｍｍ、および／または約８ｍｍ〜約９ｍｍを含む。円筒形磁気要素は、約１ｍｍ〜約２ｍｍ、約２ｍｍ〜約３ｍｍ、約３ｍｍ〜約４ｍｍ、約４ｍｍ〜約５ｍｍ、約５ｍｍ〜約６ｍｍ、約６ｍｍ〜約７ｍｍ、約７ｍｍ〜約８ｍｍ、および／または約８ｍｍ〜約９ｍｍ等の任意の好適な直径であってもよい。
【００６０】
好ましくは、磁気要素は、ルーペサブアセンブリの組立に応じて他の磁石要素の対応する表面に共形化するように構成される、表面を含む。好ましくは、磁気要素は、鋼鉄リングを備える。好ましくは、鋼鉄リングは、他の磁石要素の平坦表面に共形化するように構成される、平坦表面を含む。鋼鉄リングは、組み立てられたルーペデバイスを通して視線の閉塞を回避する、孔をその中に画定する。
【００６１】
好ましくは、磁石は、望遠鏡アセンブリの縦軸を中心として位置付けられる。対応する１つまたはそれを上回る磁気要素は、アンカアセンブリ上に位置付けられる。磁石と磁気要素との間の引力は、望遠鏡アセンブリおよびアンカアセンブリを相互に対して固定される位置に維持する。
【００６２】
好ましくは、望遠鏡アセンブリは、実践者の所望の作業距離に調節可能であるように構成される。例えば、望遠鏡は、補正レンズを含んでもよい。アンカアセンブリは、所望の作業距離における視野上での集束および／または眼連動のための双眼視輻輳調節を特徴としてもよい。輻輳調節は、逸脱が水平平面に沿って配向されるとき、望遠鏡アセンブリの光学軸の逸脱の一部または全部を排除するように構成されてもよい。
【００６３】
磁石および磁気要素は、好ましくは、好適な材料から成り、幾何学形状は、依存可能様式で望遠鏡アセンブリをアンカアセンブリに固着させるために十分な磁力を提供する。好ましくは、磁石と磁気要素との間の引力は、望遠鏡またはアンカアセンブリに印加される不注意による力にもかかわらず、望遠鏡アセンブリをアンカアセンブリに対して確実に保持するために十分に強い磁場を提供する。望遠鏡およびアンカアセンブリは、例えば、実践者が不注意に望遠鏡アセンブリを壁または他の物体に対して触れさせてしまっても、継合されたままであるべきである。
【００６４】
随意に、磁気要素が、望遠鏡アセンブリの磁気要素に当接するように、アンカアセンブリ内に位置付けられる。例えば、随意に、磁気要素は、部分的に、磁石保定辺縁によって遠位で塞がれる。そのような配列は、アンカアセンブリ内の磁気要素と望遠鏡アセンブリの磁気要素の直接接触を提供する。
【００６５】
随意に、磁気要素は、より狭い、テーパ状、または円錐形である、幾何学形状を有し、アンカアセンブリの磁気要素が対応する陥凹内に着座されることを可能にする。対応する陥凹は、アンカアセンブリの磁気要素を定位置に保持し、望遠鏡アセンブリの磁気要素がアンカアセンブリの磁気要素に直接接触することを可能にし得る。そのような直接接触は、より強い接着力を磁気要素間に提供し得る。
【００６６】
磁気要素は、例えば、遠位端がより狭い、好適な幾何学形状構成（円錐形断面等）を有してもよい。好ましくは、そのような幾何学的構成は、アンカアセンブリの幾何学的に共形化する磁石保定陥凹内への磁石の実質的同時保定および望遠鏡アセンブリの磁気要素との直接接触を可能にする。
【００６７】
磁気要素のための任意の好適な材料は、鉄またはその合金、コバルトまたはその合金、および／またはニッケルまたはその合金を含む。磁石のための任意の好適な材料は、鉄またはその合金、コバルトまたはその合金、ニッケルまたはその合金、天然磁石、希土類金属化合物および／または合金、無希土類永久磁石、またはナノ構造化磁石を含む。
【００６８】
好ましくは、磁気要素は、好適な強度の接着力を提供し、ルーペサブアセンブリの意図的分離を可能にしながら、ルーペサブアセンブリの不注意による解放を防止する。例えば、好ましくは、磁石は、Ｎ３５、Ｎ３８、Ｎ４０、Ｎ４２、Ｎ４５、Ｎ４８、Ｎ５０、Ｎ５２、および／またはＮ５５等、好適な等級のネオジム（ＮｄＦｅＢ）を含む。
【００６９】
随意に、１つまたはそれを上回る解放可能機械的係合特徴は、望遠鏡アセンブリをアンカアセンブリに解放可能に結合する。そのような係合特徴は、突起、溝、隆起、トラック、係止部、またはフック等、任意の好適な幾何学形状または構造を含む。例えば、アンカおよび望遠鏡アセンブリ上の相補的に輪郭付けられた機械的係合構造が、アセンブリ間の磁気引力に取って代わる、またはそれを補完する。係合特徴の付加的実施例は、突出部、切り欠き、ラッチ、ねじ山、小穴、孔、ペグ、フックおよびループ締結具、または解放可能係合の任意の他の機械的システムを含む。随意に、機械的係合構造、特徴、および／または噛合幾何学形状が、望遠鏡アセンブリおよび／またはアンカアセンブリの縦軸を中心として位置付けられる。
【００７０】
好ましくは、磁気または機械的結合は、その対応するアンカアセンブリに対する望遠鏡アセンブリの１つまたはそれを上回る具体的回転配向を提供する。随意に、望遠鏡／アンカアセンブリは、複数の回転配向を可能にするように構成される。例えば、各望遠鏡アセンブリは、２つの幾何学的突起をその近位側に有してもよく、そのそれぞれは、アンカアセンブリの遠位側の２つの相補的幾何学的陥凹のうちの１つと噛合するように構成される。本配列は、２つの可能性として考えられる配向において望遠鏡アセンブリとアンカアセンブリの組立を可能にする。
【００７１】
随意に、各配向は、他方と１８０度異なってもよい。複数の配向は、望遠鏡アセンブリをアンカアセンブリに対して位置付ける際の柔軟性を可能にしながら、光学軸の垂直逸脱を最小限にする。随意に、複数の係合特徴は、追加安定性を提供する。好ましくは、望遠鏡アセンブリおよび／またはアンカアセンブリは、１つのみの回転配向を可能にするように構成される。
【００７２】
本装置は、望遠鏡アセンブリ内に存在する逸脱を水平平面に割出するステップを含んでもよく、本方法は、それを伴ってもよい。水平平面は、ルーペデバイスを装着している実践者の視野に対して「水平」と見なされ得る。逸脱を水平平面に割出するステップは、垂直不平衡を低減させる。好ましくは、割出は、機械的構造、幾何学形状、または特徴によって提供される。好ましくは、望遠鏡アセンブリは、１つまたはそれを上回る割出リング（代替として、整列リングとして説明される）を含む。割出リングは、望遠鏡アセンブリの垂直逸脱を防止するように構成される。好ましくは、割出リングは、機械的特徴または構造のうちの１つまたはそれを上回るものを含む。
【００７３】
好ましくは、割出リングは、アンカアセンブリ内の切り欠き等、構造／特徴／幾何学形状を相補的に輪郭付けられた割出特徴に整列させるように位置付けられ、固定される。割出特徴は、望遠鏡アセンブリをアンカアセンブリに対して所定の配向において整列させる。
【００７４】
割出リングは、１つまたはそれを上回る磁気要素または噛合幾何学的特徴を含んでもよい。例証的噛合幾何学的特徴は、アンカアセンブリ内に形成される相補的特徴と噛合するように構成される、突起または隆起を含む。例えば、割出リングは、アンカアセンブリの相補的に輪郭付けられた隆起と噛合するように構成される、陥凹を含んでもよい。
【００７５】
割出リングは、任意の好適な材料から構築される。好適な材料は、金属および／またはポリマーを含む。割出リングは、接着剤を使用して、望遠鏡アセンブリ／本体に固定されてもよい。接着剤の１つまたはそれを上回るビーズが、望遠鏡本体の表面とインターフェースをとるように位置付けられる、割出リングの周囲に設定されてもよい。代替として、または加えて、割出リングは、割出リングに対する望遠鏡アセンブリの回転に抵抗する、またはそれを防止する、溶接または任意の他の好適な固定方法を使用して、望遠鏡アセンブリに固定されてもよい。好適な固定方法は、ねじおよび相補的ねじ山付きボアを介して等、機械的固定を含む。
【００７６】
好ましくは、割出リングは、組み立てられると、望遠鏡アセンブリがアンカアセンブリに対して回転固定されるように、アンカアセンブリ上の対応する特徴と噛合する、特徴を含む。割出リングの特徴は、望遠鏡およびアンカアセンブリが適切に継合されると、望遠鏡アセンブリと本質的に関連付けられた任意の逸脱が実践者の視野の水平平面に配向されることを確実にするように構成される。
【００７７】
好ましくは、割出リングは、アンカアセンブリ内の相補的に輪郭付けられた切り欠きと噛合するための突起を含む。代替として、または加えて、割出リングは、切り欠きを含み、アンカは、突起を含む。割出リングは、望遠鏡アセンブリがアンカアセンブリの中に挿入されると、アンカアセンブリに対する望遠鏡アセンブリの回転移動を固定する、任意の好適な特徴を含んでもよい。
【００７８】
随意に、幾何学的特徴は、望遠鏡アセンブリ自体の表面内に形成される。好ましくは、ルーペデバイスは、第１の望遠鏡／アンカアセンブリ対と、第２の望遠鏡／アンカアセンブリ対とを含む。好ましくは、第１の望遠鏡／アンカアセンブリ対の望遠鏡アセンブリは、噛合特徴を望遠鏡アセンブリの外側表面内に含む。好ましくは、第２の望遠鏡／アンカアセンブリ対の望遠鏡アセンブリは、割出リングを含む。
【００７９】
好ましくは、本装置および／またはデバイスは、アンカアセンブリの中への望遠鏡アセンブリの挿入に先立って、噛合特徴が可視であるように構成される。好ましくは、本装置および／またはデバイスは、アンカアセンブリの中への望遠鏡アセンブリの挿入後、噛合特徴が可視であるように構成される。例えば、随意に、噛合突起は、突起を受容するように構成される対応する切り欠きの厚さよりも高くてもよい。好ましくは、切り欠きまたは陥凹は、アンカ壁の外部からアンカ壁の内部までアンカ壁を横断し、それによって、切り欠き内に挿入される突起の視認を可能にする。随意に、透明または半透明材料が、切り欠きの中へのその挿入後、突起を被覆してもよい。
【００８０】
好ましくは、割出リングは、望遠鏡アセンブリの光学軸を回転整列させた後、望遠鏡アセンブリに固定される。好ましくは、望遠鏡アセンブリの回転整列は、アンカアセンブリの中に挿入されると、垂直逸脱が実質的に低減または排除されるように、光学軸を配向するステップを含む。好ましくは、回転整列は、光学軸を試験アンカアセンブリに対してレーザ整列させるステップを含む。好ましくは、回転整列は、割出リングを光学軸に対して位置付け、固定し、望遠鏡アセンブリがアンカアセンブリの中に挿入されると、垂直平面における任意の光学逸脱が最小限にされ、水平平面に偏移されることを確実にするステップを含む。割出リングの回転整列は、望遠鏡アセンブリがアンカアセンブリの中に挿入されると、光学軸が垂直逸脱を最小限にするかまたは排除するように配向されることを確実にする。
【００８１】
好ましくは、割出リングは、任意の好適な様式において、または任意の好適な材料を使用して、望遠鏡アセンブリに固定される。例えば、割出リングは、糊を使用して、および／または割出リングを望遠鏡アセンブリにボルト締めして、望遠鏡アセンブリに固定されてもよい。辺縁、隆起、リム、突出部、または陥凹の１つまたはそれを上回る幾何学的特徴が、割出リングを光学軸に対して望遠鏡アセンブリ上の定位置に固定するために利用されてもよい。
【００８２】
好ましくは、例証的望遠鏡アセンブリは、アンカアセンブリ内に入れ子にされるように構成される、近位端を含む。好ましくは、入れ子にされると、望遠鏡アセンブリの磁石および／または磁気要素は、アンカアセンブリの対応する磁石および／または磁気要素との磁気引力を提供するように位置付けられる。好ましくは、磁気引力は、望遠鏡およびアンカアセンブリを入れ子構成において保持する。好ましくは、磁石および／または磁気要素は、望遠鏡アセンブリがアンカアセンブリ内に着座されると、異なるアセンブリの磁石および／または磁気要素が相互に近接および／または当接するように、望遠鏡およびアンカアセンブリの対面端上に位置付けられる。
【００８３】
好ましくは、磁石および／または磁気要素は、望遠鏡アセンブリの近位端およびアンカアセンブリの遠位側上に位置付けられる。随意に、磁石および／または磁気要素は、望遠鏡および／またはアンカアセンブリの端部内に挿入される。磁石および／または磁気要素は、望遠鏡および／またはアンカアセンブリの端部から突出してもよい。磁石および／または磁気要素は、望遠鏡および／またはアンカアセンブリの端部と同一平面であってもよい。磁石および／または磁気要素は、望遠鏡および／またはアンカアセンブリの対面端内に陥入されてもよい。
【００８４】
好ましくは、磁石および／または磁気要素は、任意の好適な方法または機構を使用して、望遠鏡およびアンカアセンブリに固定される。好ましくは、ねじ山付きねじは、アンカアセンブリ本体およびアンカアセンブリカバーの両方内の孔を通して駆動され、それによって、磁石および／または磁気要素をアンカアセンブリに固定する。随意に、磁石および／または磁気要素は、接着剤を使用して締結される。辺縁、隆起、溝、リム、ねじ山、フック、ラッチ、突出部、または陥凹の幾何学的特徴が、１つまたはそれを上回る方向において、磁石および／または磁気要素を望遠鏡またはアンカアセンブリ上の定位置に保持してもよい。
【００８５】
例えば、幾何学的特徴は、磁石および／または磁気要素が、定位置内にスナップ留めされる、またはそこから取り外されることを可能にし得る。随意に、磁石および／または磁気要素は、望遠鏡および／またはアンカアセンブリに解放可能に固着されてもよい。そのような側面は、異なる引力強度の磁石および／または磁気要素が、内外で交換されることを可能にし得る。例えば、実践者は、望遠鏡およびアンカアセンブリのより確実な接着力を所望し得る。実践者は、より強い引力（例えば、磁場）を有する磁石および／または磁気要素を得て、それらをより弱く誘引する磁石および／または磁気要素と交換してもよい。
【００８６】
磁気要素は、磁場によって作用されるために好適な任意の物質を含む。磁気要素は、入れ子にされた望遠鏡およびアンカアセンブリを通して妨害されない視線を提供するために好適な任意の形状を有してもよい。磁気要素は、強固な引力を望遠鏡とアンカアセンブリとの間に提供するための任意の好適な形状または組成物を有してもよい。例証的形状は、望遠鏡またはアンカアセンブリの縁の周囲に位置付けられる、リング形状および／または複数の磁気要素を含む。
【００８７】
随意に、望遠鏡および／またはアンカアセンブリの本体は、磁気要素（例えば、鋼鉄）から構築される。本体は、相補的アセンブリの磁気要素によって保持されるために好適な強度および／または輪郭を有する、磁気要素から構築される。随意に、割出リングは、磁気要素から構築される。
【００８８】
随意に、機械的特徴は、望遠鏡およびアンカアセンブリを入れ子にされた位置に保持する。そのような機械的特徴は、磁気引力を補完し得る。
【００８９】
好ましくは、望遠鏡アセンブリは、光学軸が実践者の所望の作業距離における空間内の所望の点に集束されるように位置付けられる。好ましくは、一対のアンカアセンブリが、担体デバイス内に埋設される。担体デバイスは、レンズを伴うフレームを含んでもよい。アンカアセンブリは、フレームのレンズ内に埋設される。随意に、アンカアセンブリは、フレームに取り付けられる、フリップして持ち上げるヒンジ付きデバイスに固定されてもよい。
【００９０】
好ましくは、フレームのレンズは、実践者の視覚を補正する、１つまたはそれを上回るレンズを含む。例えば、フレームレンズは、補正レンズを収容し、実践者の視力の欠点（例えば、近視、遠視、または乱視）を補正してもよい。
【００９１】
好ましくは、アンカアセンブリは、１つまたはそれを上回る補正レンズを含む。例えば、アンカアセンブリは、補正レンズを収容し、実践者の視力を補正してもよい。望遠鏡アセンブリは、補正レンズを収容し、実践者の視力を補正してもよい。
【００９２】
随意に、２つまたはそれを上回る望遠鏡アセンブリが、相互内に入れ子にされてもよい。一方の望遠鏡アセンブリは、実践者の視覚を補正してもよく、他方は、実践者によって行われる具体的手技に好適な拡大率を提供してもよい。随意に、２つまたはそれを上回るアンカアセンブリは、相互内に入れ子にされてもよい。一方のアンカアセンブリは、実践者の視覚を補正してもよく、他方は、望遠鏡アセンブリを受容するための基部を提供してもよい。
【００９３】
任意の好適な締結機構が、補正レンズをアセンブリまたはフレームに固定するために使用されてもよい。例えば、１つまたはそれを上回る保定リングは、補正レンズを内向きに突出する表面（辺縁等）に対して捕捉し、それによって、補正レンズをリングと突出表面との間の定位置に保持してもよい。補正レンズは、接着剤を使用して定位置に保持されてもよい。
【００９４】
本開示のいくつかの側面は、補正レンズの収容を省略してもよい。フレームのレンズは、視覚を補正しない、「窓ガラス」レンズであってもよい。
【００９５】
本装置は、双眼ルーペシステムを含んでもよく、本方法は、それを伴ってもよい。好ましくは、双眼ルーペシステムは、手技の間、物体を拡大するように構成される。好ましくは、ルーペシステムは、複視を防止または低減させるように構成される。
【００９６】
好ましくは、システムは、一対のルーペデバイスと、担体レンズフレームと、一対の担体レンズとを含む。ルーペデバイスは、担体レンズに対して位置付けられるように構成される。好ましくは、ルーペデバイスは、取替可能望遠鏡アセンブリを含む。担体レンズは、順に、担体レンズフレームに取り付けられる。担体レンズは、アンカアセンブリを含む。アンカアセンブリは、取替可能望遠鏡アセンブリを定位置に保持するように構成される。
【００９７】
本装置は、手技の間、物体を拡大するための双眼ルーペシステムを含んでもよく、本方法は、それを伴ってもよい。好ましくは、アンカ装置は、担体レンズフレームと、一対の担体レンズと、一対のアンカアセンブリとを含む。各アンカアセンブリは、担体レンズに固定される。
【００９８】
アンカアセンブリは、好ましくは、アンカ本体を含む。アンカ本体は、好ましくは、１つまたはそれを上回る円筒形磁気要素と、アンカカバーと、アンカカバーを円筒形磁石を中心としてアンカ本体に固定する、締結具とを含む。好ましくは、アンカ本体は、補正レンズを保定するための補正レンズおよびリングを含む。
【００９９】
本システムは、好ましくは、１つまたはそれを上回る対の取替可能望遠鏡アセンブリを含む。各対の望遠鏡アセンブリは、好ましくは、望遠鏡アセンブリを含む。１つまたはそれを上回る割出リングは、組み立てられ、および／または各望遠鏡アセンブリに固定される。割出リングの近位端表面は、好ましくは、突起等の幾何学的特徴を含む。幾何学的特徴は、好ましくは、相補的幾何学的特徴（突起と形状が相補的切り欠き等）をアンカアセンブリの遠位端表面上に伴う特徴と整列および噛合するように構成される。望遠鏡アセンブリがアンカアセンブリ内で入れ子にされると、望遠鏡アセンブリは、アンカアセンブリに対して回転固定される。好ましくは、取替可能望遠鏡アセンブリは、磁気引力によってアンカアセンブリに保持される。随意に、アンカアセンブリは、望遠鏡アセンブリ内に入れ子にされる。
【０１００】
本装置は、双眼ルーペシステムを製造する方法を伴ってもよく、本方法は、それを含んでもよい。好ましくは、双眼ルーペシステムは、担体レンズフレームと、一対の担体レンズと、担体レンズに対して固定される、一対のアンカアセンブリとを含む。
【０１０１】
好ましくは、各アンカアセンブリは、アンカ本体と、１つまたはそれを上回る磁気要素と、アンカカバーと、アンカカバーを磁石を中心としてアンカ本体に固定するための１つまたはそれを上回る締結具とを含む。各アンカアセンブリはまた、補正レンズを含んでもよい。各アンカアセンブリはまた、補正レンズをアンカアセンブリに固着するための保定リングおよび／または任意の他の好適な手段を含んでもよい。補正レンズは、アンカ本体および／またはアンカカバーの表面によって定位置に保持されてもよい。
【０１０２】
好ましくは、双眼ルーペシステムは、一対の取替可能望遠鏡アセンブリを含む。望遠鏡アセンブリは、アンカアセンブリの遠位端への解放可能組立のために構成される近位端を有する。望遠鏡アセンブリは、取替可能望遠鏡と、磁気要素と、１つまたはそれを上回る回転割出リングとを含む。好ましくは、割出リングの外部幾何学形状は、アンカアセンブリの相補的外部幾何学形状と整列および噛合するように構成される。
【０１０３】
好ましくは、本方法は、担体レンズを担体フレームに添着するステップを含む。好ましくは、本方法は、磁石をアンカアセンブリの本体の中に挿入するステップを含む。好ましくは、本方法は、締結具をアンカ本体およびアンカカバーを通して螺入するステップを含む。好ましくは、本方法は、補正レンズをアンカ本体の中に挿入するステップを含む。好ましくは、本方法は、補正レンズ保定リングをアンカカバーおよび／またはアンカ本体の中に添着するステップを含む。随意に、レンズ保定リングは、省略される。好ましくは、本方法は、補正レンズをアンカ本体とアンカカバーとの間に固着するステップを含む。随意に、アンカカバーは、補正レンズをアンカ本体に固着する。好ましくは、本方法は、アンカアセンブリを担体レンズの中に添着するステップを含む。好ましくは、本方法は、磁気要素を取替可能望遠鏡アセンブリの中に添着するステップを含む。
【０１０４】
好ましくは、本方法は、幾何学的特徴がアンカアセンブリの対応する幾何学的特徴と噛合するように位置付けられるように、割出リングを望遠鏡アセンブリに添着するステップを含む。好ましくは、本方法は、望遠鏡アセンブリの光学軸がアンカアセンブリの対応する幾何学的特徴と整列されるように、割出リングを望遠鏡アセンブリに添着するステップを含む。好ましくは、本方法は、望遠鏡アセンブリの光学軸を回転整列させ、垂直逸脱を低減させるステップを含む。好ましくは、本方法は、割出リングを望遠鏡に固定し、望遠鏡アセンブリとアンカアセンブリの組立に応じて、望遠鏡の光学軸の垂直逸脱を最小限にするステップを含む。
【０１０５】
本装置は、望遠鏡アセンブリを製造する方法を伴ってもよく、本方法は、それを含んでもよい。好ましくは、望遠鏡アセンブリは、担体レンズによって保持されるアンカアセンブリの中に挿入されるように構成される、近位端を含む。好ましくは、本方法は、割出リングの割出幾何学的特徴または割出リングの磁気表面がアンカアセンブリの相補的幾何学形状または対応する表面と噛合するように構成されるように、望遠鏡アセンブリの本体にわたって、その中に、その上に、またはそれを中心として割出リングを挿入するステップを含む。
【０１０６】
例えば、割出リングの近位に面する表面の幾何学的輪郭（突起等）は、幾何学的輪郭が近位方向に面するように、望遠鏡アセンブリ本体上に位置付けられてもよい。そのような位置付けは、幾何学的輪郭がアンカアセンブリの遠位に面する表面の相補的幾何学的表面（切り欠き等）と噛合することを可能にする。
【０１０７】
本装置は、１つまたはそれを上回る望遠鏡デバイスの回転整列の方法を伴ってもよく、本方法は、それを含んでもよい。好ましくは、本方法は、望遠鏡アセンブリを各望遠鏡アセンブリの中心縦軸を中心として回転させるステップを含む。好ましくは、本方法は、割出リングを中心縦軸を中心として回転させるステップを含む。好ましくは、本方法は、望遠鏡アセンブリを中心縦軸を中心として割出リングに対して回転させるステップを含む。好ましくは、本方法は、割出リングを望遠鏡アセンブリに固定するステップを含む。随意に、試験アンカアセンブリが、望遠鏡アセンブリの製造の間、整列を試験するために使用される。好ましくは、レーザが、望遠鏡アセンブリの整列を判定／チェックするために使用される。
【０１０８】
本装置は、ルーペデバイスを解放可能に組み立てる方法を伴ってもよく、本方法は、それを含んでもよい。好ましくは、本方法は、望遠鏡アセンブリの幾何学形状のうちの１つまたはそれを上回るものとアンカアセンブリの相補的幾何学形状を整列させるステップを含む。好ましくは、本方法は、望遠鏡アセンブリおよびアンカアセンブリを入れ子にするステップを含む。好ましくは、本方法は、望遠鏡アセンブリをアンカアセンブリに継合するステップを含む。好ましくは、本方法は、アンカアセンブリの中に、その上に、および／またはそれを中心として望遠鏡アセンブリを挿入するステップを含む。好ましくは、本方法は、アセンブリ間の磁気引力または機械的力がルーペデバイスの不注意による分解のリスクを低減させるように、アンカアセンブリの中に、その上に、および／またはそれを中心として望遠鏡アセンブリを挿入するステップを含む。
【０１０９】
本装置は、ルーペデバイスを使用する方法を伴ってもよく、本方法は、それを含んでもよい。好ましくは、本方法は、実践者が、組み立てられたルーペデバイス（例えば、入れ子にされた望遠鏡およびアンカアセンブリ）を使用して、表面の拡大された画像を視認するステップを含む。好ましくは、本方法は、組み立てられたルーペデバイスを使用して、医療／歯科手技を行うステップを含む。好ましくは、本方法は、ルーペデバイスからの望遠鏡アセンブリの除去を含む。例えば、第１の対の望遠鏡アセンブリは、第１の拡大レベルを有してもよい。好ましくは、本方法は、第１の対の望遠鏡アセンブリをそのアンカアセンブリから除去するステップを含む。好ましくは、本方法は、第２の対の望遠鏡アセンブリをアンカアセンブリの中に挿入するステップを含む。好ましくは、第２の対の望遠鏡アセンブリは、第１の対の望遠鏡アセンブリと異なる拡大レベルを有する。
【０１１０】
本明細書で説明される装置および方法は、例証である。他の実施形態が、利用されてもよく、構造、機能、および手順修正が、本開示の範囲および精神から逸脱することなく行われてもよいことを理解されたい。
【０１１１】
本開示の装置および方法は、例証的な装置の特徴のうちのいくつかおよび全て、および／または例証的な方法のステップのうちのいくつかおよび全てを伴う、および／または含んでもよい。本開示の装置および方法は、例証的な装置のうちのいくつかおよび全ての特徴のうちのいくつかおよび全て、および／または、例証的な方法のうちのいくつかおよび全てのステップのうちのいくつかおよび全てを組み合わせてもよい。
【０１１２】
方法のステップは、本明細書で示され、説明される順序以外の順序で行われてもよい。いくつかの実施形態は、例証的な方法に関連して図示および説明されるステップを省略してもよい。いくつかの実施形態は、例証的な方法に関連して図示および説明されないステップを含んでもよい。いくつかの実施形態は、例証的装置に関連して図示および説明される特徴を省略してもよい。いくつかの実施形態は、例証的装置に関連して図示および／または説明されない特徴を含んでもよい。
【０１１３】
本開示による装置および方法が、ここで、図に関連して説明されるであろう。図は、本開示の原理による装置および方法の例証的特徴を示す。特徴は、選択された実施形態または複数の実施形態の文脈において例証される。
【０１１４】
図１は、縦軸Ｌを画定する、ルーペサブアセンブリ１００を示す。ルーペサブアセンブリ１００は、アンカサブアセンブリ１０２と、対応する取替可能望遠鏡サブアセンブリ１０８とを含む。望遠鏡サブアセンブリ１０８は、アンカサブアセンブリ１０２の中への挿入のために整列されて示される。
【０１１５】
アンカサブアセンブリ１０２は、アンカ本体１１０を含む。アンカサブアセンブリ１０２は、アンカ端部カバー１１４を含む。アンカサブアセンブリ１０２は、補正レンズ１１８を含む。アンカサブアセンブリ１０２は、レンズ保定リング１２０を含む。アンカ本体１１０は、割出切り欠き１４４をその遠位端に画定する。
【０１１６】
望遠鏡サブアセンブリ１０８は、望遠鏡本体１２２を含む。望遠鏡サブアセンブリ１０８は、磁気要素１２４を含む。磁気要素１２４は、鋼鉄リングを備えてもよい。望遠鏡サブアセンブリ１０８は、割出リング１４８を含む。割出リング１４８は、割出突起１４２を含む。割出突起１４２は、アンカサブアセンブリ１０２の割出切り欠き１４４と噛合するように構成される。
【０１１７】
図２は、ルーペサブアセンブリ１００の構成要素を示す。ルーペアンカサブアセンブリ１０２は、磁石２１２を含む。アンカサブアセンブリ１０２は、アンカカバー１１４を磁石２１２を中心としてアンカ本体１１０に固定する、締結具２１６を含む。望遠鏡サブアセンブリ１０８は、磁石２１２と磁気要素１２４との間の磁気引力によってアンカサブアセンブリ１０２に保持されるように構成される。
【０１１８】
磁気引力がアンカアセンブリ１０２内への望遠鏡サブアセンブリ１０８の確実な固定を促進するために十分であることを確実にするために、磁石２１２の幾何学形状および物質は、確実に強い磁場およびあるレベルの磁気引力を保証するように選定される。この目的を達成するために、磁石２１２は、伸長シリンダとして成形される。
【０１１９】
締結具２１６は、アンカカバー１１４を磁石２１２を中心としてアンカ本体１１０に固定する、ねじ山付きねじを含む。代替として、または加えて、接着剤または他の固定方法が、実装されてもよい。
【０１２０】
アンカ本体１１０は、近位および遠位端を伴う、剛性かつ円筒形の構造であってもよい。アンカ本体１１０の近位端は、内向きに延在する環状辺縁２２６を含む。環状辺縁２２６は、軸方向に心合されたレンズ保定陥凹２２８を画定する。環状辺縁２２６は、磁石保定陥凹２３０をレンズ保定陥凹２２８の周のまわりに画定する。環状辺縁２２６は、締結具２１６をレンズ保定陥凹２２８の周のまわりに受容するためのねじ山付きまたは非ねじ山付き貫通孔２３２を画定する。レンズ保定陥凹２２８は、内向きに延在する環状レンズ保定リム２３４によって遠位に画定される。レンズ保定リム２３４は、第１の窓２３８をその中に画定する。
【０１２１】
磁石保定陥凹２３０は、磁石保定円形陥凹２３０がそれぞれ磁石保定リム２３６によってその最遠位端において部分的にのみ塞がれるように、近位に面する半径方向内向きに延在する磁石保定リム２３６に向かって遠位に延在する。磁石２１２は、アンカ本体１１０の磁石保定陥凹２３０の中に遠位に嵌合し、遠位磁石保定リム２３６に当接するように成形される、遠位端を有する。
【０１２２】
アンカカバー１１４は、リング形状であって、中心窓２４０をそれを通して画定する。アンカカバー１１４はさらに、窓２４０の周のまわりに、１つまたはそれを上回る磁石保定円形ボア（図示せず）を画定する。磁石保定円形ボアは、遠位に開放され、磁石２１２の近位端に共形化し、それをその中に含有するように成形される。アンカカバー１１４はさらに、窓２４０の周のまわりに、締結具２１６の端部を受容するためのねじ山付きねじ孔２４６および／または他の機械的保定構造を画定する。
【０１２３】
締結具２１６は、アンカカバー１１４を磁石２１２を中心としてアンカ本体１１０に固定する、ねじまたは他の締結デバイスを備える。締結具２１６は、アンカ本体１１０の貫通孔２３２を通して通過してもよく、アンカカバー１１４のねじ孔２４６の中に螺入され、それによって、磁石２１２をアンカ本体１１０の磁石保定陥凹２３０およびアンカカバー１１４の整列された磁石保定円形ボアの中に固着してもよい。
【０１２４】
補正レンズ１１８は、レンズ保定陥凹２２８内に保定され、レンズ保定リム２３４の近位表面に当接してもよい。
【０１２５】
好ましくは、レンズ保定リム１２０は、雄ねじを含む。ねじ山付きまたは非ねじ山付き補正レンズ保定リング１２０が、アンカカバー１１４のねじ山付きまたは非ねじ山付き中心窓２４０内に添着されてもよい。補正レンズ保定リング１２０は、補正レンズ１１８の近位表面に触れてもよい。代替として、または加えて、ねじ山付きまたは非ねじ山付き補正レンズ保定リング１２０は、アンカ本体１１０のねじ山付きまたは非ねじ山付きレンズ保定陥凹２２８内に添着されてもよい。本配列では、補正レンズ保定リング１２０はまた、補正レンズ１１８の近位表面に触れてもよい。
【０１２６】
随意に、アンカカバー１１４の一体型遠位表面は、補正レンズ１１８をレンズ保定リム２３４等のアンカ本体１１０の近位表面に対して保定するように組み立てられる。
【０１２７】
望遠鏡サブアセンブリ１０８は、望遠鏡本体１２２と、磁気要素１２４とを含む。磁気要素１２４は、磁気要素１２４の近位表面が、アンカサブアセンブリ１０２によって保定された磁石２１２に近接または接触するために、望遠鏡本体１２２の近位縁と同一平面である、またはそこから近位に突出するように望遠鏡本体１２２の雌ねじ山付きまたは非ねじ山付き近位端内に添着される、雄ねじ山付きまたは非ねじ山付きリングを備えてもよい。望遠鏡サブアセンブリ１０８は、拡大レンズ２５０を含む。
【０１２８】
アンカアセンブリ１０２は、その遠位端において開いている中心ボアを画定し、該中心ボアは、取替可能望遠鏡サブアセンブリ１０８の近位端に共形化する。望遠鏡サブアセンブリ１０８のアンカサブアセンブリ１０２の遠位端の中への完全な挿入に応じて、磁気リング１２４の近位表面は、望遠鏡サブアセンブリ１０８が磁石２１２と磁気要素１２４との間の磁気引力によってアンカサブアセンブリ１０２に保持されるように、磁石２１２の遠位表面に接近または当接する。
【０１２９】
代替として、または加えて（示されない構成において）、望遠鏡サブアセンブリ１０８は、１つまたは他のサブアセンブリ上に添着される１つまたはそれを上回る磁石が、他のサブアセンブリの対応する位置に添着される、またはそれを備える、１つまたはそれを上回る磁気構成要素上に磁気引力をもたらすように、中心ボアを画定し、アンカアセンブリ１０２を受容してもよい。
【０１３０】
図３は、アンカサブアセンブリ１０２の中に整列および挿入される望遠鏡サブアセンブリ１０８を伴う、ルーペサブアセンブリ１００を示す（図１および２に示される１０２および１０８の両方）。望遠鏡サブアセンブリ１０８のアンカサブアセンブリ１０２の中への整列および挿入は、手技に先立って、および／またはその間、実践者によって行われてもよい。磁気リング１２４の近位表面（図１および２に示される）は、望遠鏡サブアセンブリ１０８が磁石２１２と磁気要素１２４との間の磁気引力によってアンカサブアセンブリ１０２に保持されるように、磁石２１２の遠位表面（図２に示される）に当接する。
【０１３１】
図４は、視認線４（図１に示される）に沿ったルーペサブアセンブリ１００の部分的断面図である。望遠鏡サブアセンブリ１０８は、アンカサブアセンブリ１０２の中への挿入のために整列されて示される。
【０１３２】
断面図は、アンカサブアセンブリ１０２の特徴、すなわち、アンカカバー１１４とアンカ本体１１０の磁石保定リム２３６との間の定位置に保持される、磁石２１２と、レンズ保定リング１２０とレンズ保定リム２３４との間の定位置に保持される、補正レンズ１１８とを描写する。
【０１３３】
断面図は、望遠鏡サブアセンブリ１０８の特徴、すなわち、アンカサブアセンブリ１０２の中への挿入のために構成され、望遠鏡本体１２２の近位端に固定される、磁気要素１２４と、望遠鏡本体１２２内に固定される、拡大レンズ２５０と、望遠鏡サブアセンブリ１０８に組み立てられる、割出リング１４８と、アンカサブアセンブリ１０２の割出切り欠き１４４の反対に整列される、割出リング１４８の割出突起１４２とを描写する。
【０１３４】
図５は、視認線５（図３に示される）に沿ったサブアセンブリ１００の部分的断面図である。望遠鏡サブアセンブリ１０８は、アンカサブアセンブリ１０２の中に完全に挿入されて示される。望遠鏡サブアセンブリ１０８の磁気要素１２４は、アンカサブアセンブリ１０２の磁石２１２に当接して、または触れて示される。
【０１３５】
図６は、回転不整列ルーペサブアセンブリ１００を通した光学軸Ｏを図式的に描く。割出突起１４２は、割出切り欠き１４４と回転整列されない。不整列ルーペサブアセンブリ１００の光学軸Ｏは、視野側面Ａの中心（ここでは、軸Ｌを中心として心合されるように示される）から逸脱距離ｄだけ逸脱する。逸脱距離ｄは、例えば、約４ｍｍであってもよい。逸脱ｄは、垂直軸ｙに沿って示される。視野側面Ａは、ルーペサブアセンブリ１００を使用する実践者の典型的作業距離にあり得る。典型的作業距離では、垂直軸ｙに沿った逸脱ｄは、約０．５プリズムジオプタを上回る垂直不平衡と関連付けられ得る。典型的作業距離では、垂直軸ｙに沿った逸脱ｄは、複視と関連付けられ得る。
【０１３６】
典型的作業距離は、実践者（例えば、実践者の眼）から測定されてもよい。典型的作業距離は、実践者によって好適に装着されるようなアンカサブアセンブリ１０２の近位端から測定されてもよい（例えば、図８に示される双眼アンカ装置８５２を使用して）。典型的作業距離は、望遠鏡サブアセンブリ１０８がアンカサブアセンブリ１０２に組み立てられると、実践者によって好適に装着されるように、望遠鏡サブアセンブリ１０８の遠位端から測定されてもよい。典型的作業距離は、任意の好適な参照点から測定されてもよい。
【０１３７】
図７は、回転整列されたルーペサブアセンブリ１００を通した光学軸Ｏを図式的に描く。割出突起１４２は、逸脱ｄが水平軸ｘに沿うように、割出切り欠き１４４と回転整列される。典型的作業距離では、水平軸ｘに沿った逸脱ｄは、約０．５プリズムジオプタを上回る垂直不平衡と関連付けられない。典型的作業距離では、水平軸ｘに沿った逸脱ｄは、複視と関連付けられない。
【０１３８】
図８は、双眼ルーペアセンブリ８００の光学軸Ｏ１およびＯ２を図式的に描く。双眼ルーペアセンブリ８００は、ルーペサブアセンブリ８００Ａおよび８００Ｂを含む。光学軸Ｏ１およびＯ２はそれぞれ、それぞれ、ルーペサブアセンブリ８００Ａおよび８００Ｂと関連付けられる。ルーペサブアセンブリ８００Ａは、望遠鏡サブアセンブリ８０８Ａと、アンカサブアセンブリ８０２Ａとを含む（後者は、想像線で示される）。ルーペサブアセンブリ８００Ｂは、望遠鏡サブアセンブリ８０８Ｂと、アンカサブアセンブリ８０２Ｂとを含む（後者は、想像線で示される）。
【０１３９】
望遠鏡サブアセンブリ８０８Ａおよび８０８Ｂは、図１−７に示される望遠鏡サブアセンブリ１０８の一部または全部の特徴を含む。望遠鏡サブアセンブリ８０８Ａおよび８０８Ｂは、それぞれ、割出突起８４２Ａおよび８４２Ｂを含む。望遠鏡サブアセンブリ８０８Ａおよび８０８Ｂは、拡大レンズ２５０（図２、４、および５に示される）等の拡大レンズを含むように示される。
【０１４０】
双眼ルーペアセンブリ８００は、双眼アンカ装置８５２（想像線で示される）を含む。双眼アンカ装置８５２は、担体レンズ８０４を含む。双眼アンカ装置８５２は、担体レンズフレーム８０６を含む。双眼アンカ装置８５２は、ルーペサブアセンブリ８００Ａのアンカサブアセンブリ８０２Ａと、ルーペサブアセンブリ８００Ｂのアンカサブアセンブリ８０２Ｂとを含む。アンカサブアセンブリ８０２Ａおよび８０２Ｂは、担体レンズ８０４内に埋設される。担体レンズ８０４は、担体レンズフレーム８０６に取り付けられる。アンカサブアセンブリ８０２Ａおよび８０２Ｂは、図１−７に示されるアンカサブアセンブリ１０２の一部または全部の特徴を含む。アンカサブアセンブリ８０２Ａおよび８０２Ｂは、それぞれ、割出切り欠き８４４Ａおよび８４４Ｂを含む。
【０１４１】
望遠鏡サブアセンブリ８０８Ａの割出突起８４２Ａは、対応する割出切り欠き８４４Ａと回転整列されて示される一方、望遠鏡サブアセンブリ８０８Ｂの割出突起８４２Ｂは、対応する割出切り欠き８４４Ｂと回転不整列で示される。
【０１４２】
視野側面Ａ１は、サブアセンブリ８００Ａの光学軸Ｏ１を中心として心合されて示される。視野側面Ａ１は、ルーペアセンブリ８００を使用する実践者の典型的作業距離にあり得る。
【０１４３】
ルーペサブアセンブリ８００Ｂの光学軸Ｏ２は、視野側面Ａ１の中心から逸脱距離ｄだけ逸脱する。逸脱ｄは、垂直軸ｙに沿ってある。垂直軸ｙに沿った逸脱ｄは、０．５プリズムジオプタを上回る垂直不平衡および／または複視と関連付けられ得る。
【０１４４】
図９は、部分的に分解された状態にある、双眼ルーペアセンブリ８００を示す。双眼ルーペアセンブリ８００は、双眼アンカ装置８５２と、望遠鏡サブアセンブリ８０８Ａおよび８０８Ｂとを含む。双眼アンカ装置８５２は、担体レンズフレーム８０６と、担体レンズ８０４と、アンカサブアセンブリ８０２Ａおよび８０２Ｂとを含む。アンカサブアセンブリ８０２Ａおよび８０２Ｂは、図１−５に示される補正レンズ１１８等の補正レンズを含んでもよい。アンカサブアセンブリ８０２Ａおよび８０２Ｂは、対応する担体レンズ８０４内に埋設される。担体レンズ８０４は、担体レンズフレーム８０６に取り付けられる。望遠鏡サブアセンブリ８０８Ａおよび８０８Ｂは、割出突起８４２Ａおよび８４２Ｂが個別のアンカサブアセンブリ８０２Ａおよび８０２Ｂの割出切り欠き８４４Ａおよび８４４Ｂの中への個別の挿入のために整列された状態で、アンカ装置８５２の中への挿入のために整列されて示される。
【０１４５】
図１０は、完全に組み立てられた状態における、双眼ルーペアセンブリ８００を示す。ルーペサブアセンブリ８００Ａおよび８００Ｂは、完全に組み立てられて示される。望遠鏡サブアセンブリ８０８Ａおよび８０８Ｂは、近位に面した割出突起８４２Ａおよび８４２Ｂが、それぞれ、個別のアンカサブアセンブリ８０２Ａおよび８０２Ｂの対応する割出切り欠き８４４Ａおよび８４４Ｂ（図８−９に示される）と噛合するように、それぞれ、対応するアンカサブアセンブリ８０２Ａおよび８０２Ｂの中に整列および挿入されて示される。双眼ルーペアセンブリ８００は、個別のアンカサブアセンブリ８０２Ａおよび８０２Ｂの中への望遠鏡サブアセンブリ８０８Ａおよび８０８Ｂの整列および挿入が、手技に先立って、および／またはその間、実践者によって行われ得るように構成されてもよい。双眼ルーペアセンブリ８００は、アンカサブアセンブリ８０２Ａおよび８０２Ｂからの望遠鏡サブアセンブリ８０８Ａおよび８０８Ｂの除去が、手技に先立って、その間、および／またはその後、実践者によって行われ得るように構成されてもよい。
【０１４６】
図１１は、組み立てられた双眼ルーペアセンブリ８００の個別のルーペサブアセンブリ８００Ａおよび８００Ｂを通した光学軸Ｏ１およびＯ２を図式的に描く。個別の望遠鏡サブアセンブリ８０８Ａおよび８０８Ｂの割出突起８４２Ａおよび８４２Ｂは、個別のアンカサブアセンブリ８０２Ａおよび８０２Ｂの対応する割出切り欠き８４４Ａおよび８４４Ｂと回転整列され、それぞれ、その中に挿入されて示される。ルーペサブアセンブリ８００Ｂの光学軸Ｏ２は、サブアセンブリ８００Ａの光学軸Ｏ１を中心として心合される視野側面Ａ１の中心から逸脱距離ｄだけ逸脱する。視野側面Ａ１は、ルーペアセンブリ８００を使用する実践者の典型的作業距離にあり得る。逸脱ｄは、水平軸ｘに沿ってある。水平軸ｘに沿った逸脱ｄは、０．５プリズムジオプタを上回る垂直不平衡および／または複視と関連付けられない。割出突起８４２Ａおよび８４２Ｂと、それぞれ、対応する割出切り欠き８４４Ａおよび８４４Ｂを噛合することによって、ルーペアセンブリ８００は、個別のアンカサブアセンブリ８０２Ａおよび８０２Ｂ内における望遠鏡サブアセンブリ８０８Ａおよび８０８Ｂの回転を防止し、それによって、逸脱ｄが垂直軸ｙに向かって偏移することを防止し、それによって、垂直不平衡および／または複視を回避する。望遠鏡サブアセンブリ８０８Ａおよび８０８Ｂを中心とした割出突起８４２Ａおよび８４２Ｂの回転固定は、それぞれ、垂直不平衡および／または複視が最小限にされるように、望遠鏡サブアセンブリ８０８Ａおよび８０８Ｂの製造の間に設定されてもよい。
【０１４７】
図１２は、製造プロセス１２０１の例証的ステップを示す。プロセス１２０１のいくつかのステップは、１人の人物によって行われてもよい一方、他のステップは、１人を上回る人物によって行われてもよい。提示の便宜上、プロセスのステップは、製造業者等の「加工業者」によって行われるように提示される。
【０１４８】
プロセス１２０１は、ステップ１２０３から開始してもよい。ステップ１２０３では、加工業者は、磁石（図２、４、および５に示される磁石２１２等）をアンカ本体（図１−７に示されるアンカ本体１１０等）の中に挿入する。加工業者は、磁石をアンカ本体の陥凹（図２に示される陥凹２３０等）の中に挿入してもよい。磁石は、伸長円筒形形状を有してもよい、および／または所望の磁場形状および／または強度を有してもよい。
【０１４９】
ステップ１２０５では、加工業者は、アンカカバー（図１−７に示されるアンカカバー１１４等）とアンカ本体を整列させる。加工業者は、アンカ本体の陥凹から現れる磁石の端部がアンカカバー内に画定されたボアの中に突出するように、アンカカバーとアンカ本体を整列させる。加工業者は、アンカ本体の貫通孔（図２に示される貫通孔２３２等）がアンカカバーのねじ孔（図２に示されるねじ孔２４６等）と整列するように、アンカカバーとアンカ本体を整列させてもよい。
【０１５０】
ステップ１２０７では、加工業者は、１つまたはそれを上回る締結具（図２に示される締結具２１６等）をアンカ本体およびアンカカバーの中に、および／またはそれを通して挿入する。加工業者は、締結具を貫通孔を通して挿入してもよい。加工業者は、締結具をねじ孔の中に螺入してもよい。貫通孔は、雌ねじ山付きであってもよく、加工業者は、締結具を貫通孔を通して螺入してもよい。加工業者は、締結具をアンカ本体の中に螺入してもよい。加工業者は、締結具をアンカカバーの中に螺入してもよい。加工業者は、最初に、締結具のうちの１つ、いくつか、または全てをアンカ本体を通して、次いで、アンカカバーの中に挿入してもよい。加工業者は、最初に、締結具のうちの１つ、いくつか、または全てをアンカカバーを通して、次いで、アンカ本体の中に挿入してもよい。
【０１５１】
ステップ１２０９では、加工業者は、補正レンズ（図１−５に示されるレンズ１１８等）をアンカカバー内に配置する。加工業者は、補正レンズをアンカ本体内に配置してもよい。加工業者は、補正レンズをアンカカバーの中心窓の中に挿入してもよい。加工業者は、部分的および／または完全に、補正レンズをアンカ本体のレンズ収容ベイの中に挿入してもよい。加工業者は、補正レンズをアンカ本体の窓にわたって配置してもよい。
【０１５２】
ステップ１２１１では、加工業者は、１つまたはそれを上回るレンズ保定リング（図１−５に示されるリング１２０等）をアンカカバーに添着する。加工業者は、保定リングのねじ山を介して、保定リングをアンカカバーおよび／またはアンカ本体の相補的に輪郭付けられたねじ山の中に螺入してもよい。加工業者は、保定リングをアンカカバーおよび／またはアンカ本体の中に／上にスナップ留め／締まり嵌めしてもよい。代替として、または加えて、加工業者は、接着剤を使用して、および／またはレンズを共形化陥凹の中に挿入して等、任意の好適な手段によって、補正レンズを添着する。
【０１５３】
ステップ１２１３では、加工業者は、アンカ本体に継合するように構成される望遠鏡本体（図１−７に示される望遠鏡本体１２２等）を含む、１つまたはそれを上回る磁気望遠鏡サブアセンブリ（図１−７に示される望遠鏡サブアセンブリ１０８等）を製造および／または構成する。加工業者は、直接または間接的に、１つまたはそれを上回る拡大レンズ（図２、４、５、および８−１１に示される拡大レンズ２５０等）を１つまたはそれを上回る磁気要素（図１−７に示される磁気要素１２４等）に添着する。代替として、または加えて、磁気要素は、望遠鏡本体の１つまたはそれを上回る一体型および／または構造壁を含む。加工業者は、例えば、保定リング、接着剤、および／または任意の他の好適な固定手段を使用することによって、拡大レンズを壁に添着してもよい。加工業者は、望遠鏡サブアセンブリの端部が、アンカ本体の端部内、その上、それを中心として、および／またはそれに隣接して嵌合するように、望遠鏡サブアセンブリを構築してもよい。加工業者は、例えば、磁気要素のねじ山と望遠鏡本体および／または望遠鏡本体に継合される望遠鏡カバーの相補的に輪郭付けられたねじ山を係合することによって、磁気要素を望遠鏡本体に取り付けてもよい。望遠鏡カバーは、アンカカバー１１４の特徴を含んでもよい。加工業者は、磁気要素を望遠鏡カバーおよび／または望遠鏡本体の中に／上にスナップ留め／締まり嵌めしてもよい。加工業者は、磁気要素が、磁石との磁気相互作用によって、望遠鏡サブアセンブリとアンカ本体の解放可能継合を促進するように、望遠鏡サブアセンブリを製造してもよい。代替として、または加えて、加工業者は、磁石を望遠鏡サブアセンブリに、および／または磁気要素をアンカ本体に添着してもよい。代替として、または加えて、加工業者は、機械的に解放可能な固定機構を形成し、および／またはアンカサブアセンブリおよび／または望遠鏡サブアセンブリに添着してもよい。
【０１５４】
ステップ１２１５では、加工業者は、１つまたはそれを上回る幾何学的特徴（図１−７に示される割出突起１４２および／または図８−１１に示される割出突起８４２Ａおよび／または８４２Ｂ等）を含む、割出リング（図１−７に示される割出リング１４８等）を望遠鏡本体の表面上に、および／またはそれを中心として摺動させる。代替として、または加えて、加工業者は、望遠鏡サブアセンブリおよび／または望遠鏡本体の表面上に、その中に、またはそれを中心として、幾何学的特徴を形成する。特徴は、アンカ本体の対応する幾何学的特徴（図１−７に示される割出切り欠き１４４および／または図８、９、および１１に示される割出切り欠き８４４Ａおよび８４４Ｂ等）に共形化する。代替として、または加えて、割出リングは、磁石および／または磁気要素を含む。
【０１５５】
ステップ１２１７では、加工業者は、レーザおよび試験具を使用して、望遠鏡サブアセンブリおよび／または望遠鏡本体を整列させる。割出リングは、試験具によって示される整列に基づいて、定位置に回転され、アンカサブアセンブリの中への挿入に応じて、望遠鏡の拡大レンズの一部または全部の検出された垂直逸脱を排除する。代替として、または加えて、加工業者は、望遠鏡およびアンカ本体の対応する幾何学的特徴が医療実践者によって整列されるときに、レーザおよび試験具を使用して検出された逸脱の一部または全部が排除されるまで、レンズを望遠鏡の幾何学的特徴に対して回転させる。
【０１５６】
ステップ１２１９では、整列後、加工業者は、ユーザが割出リングの幾何学的特徴（突起１４２等）とアンカ本体上の対応する幾何学的特徴（割出切り欠き１４４等）を整列させることを促進し、それによって、望遠鏡内に存在する垂直逸脱を最小限にする、または排除する位置において、割出リングを望遠鏡上に恒久的に固定する。代替として、または加えて、試験具を使用した整列に応じて、加工業者は、垂直逸脱を最小限にする、または排除する様式において、望遠鏡サブアセンブリとアンカサブアセンブリのユーザの配設を促進するように、拡大レンズを望遠鏡サブアセンブリの幾何学的特徴に対して恒久的に固定する。
【０１５７】
図１３Ａおよび１３Ｂは、手技を行う実践者１３９０を示す。図１３Ａでは、実践者１３９０は、実践者の視野内の側面Ａ３を含む、作業面積を視認するための典型的作業距離に存在し得る。実践者１３９０は、補正眼鏡１３０１を装着して示される。眼鏡１３０１を使用して、実践者１３９０は、視認線Ｍに沿って側面Ａ３を視認し得る。視認線Ｍは、Ｂ（実践者１３９０の眼またはその近傍）から側面Ａ３まで延在してもよい。視認線Ｍは、長さｅを有する。距離ｅから側面Ａ３の視認は、実践者１３９０が前屈みになることを要求し得、これは、不快感または他の有害効果を実践者１３９０にもたらし得る。そのような有害効果は、姿勢不良および結果として生じる背中、頸部、および／または肩痛を含む。
【０１５８】
図１３Ｂでは、実践者１３９０は、実践者の視野内の側面Ａ４を含む、作業面積を視認するための典型的作業距離に存在し得る。実践者１３９０は、ルーペアセンブリ８００の一部または全部の特徴を含み得る、拡大眼鏡１３００を装着して示される。眼鏡１３００を使用して、実践者１３９０は、視認線Ｎに沿って側面Ａ４を視認し得る。視認線Ｎは、Ｂ（実践者１３９０の眼またはその近傍）から側面Ａ４までおよび得る。視認線Ｎは、長さｆを有する。拡大眼鏡１３００による作業面積の拡大は、距離ｆからの側面Ａ４の視認を可能にし、それによって、実践者１３９０が直立に立つことを可能にし得る。直立に立つことは、ひいては、図１３Ａにおけるように拡大眼鏡１３００を伴わずに作業面積を視認するために必要であり得るように、作業面積を視認するために前屈みになることと関連付けられた有害な健康問題を防止し得る。
【０１５９】
図１３Ｂに示される作業距離ｆは、図１３Ａに示される作業距離ｅを有意に上回り得る。故に、拡大眼鏡１３００内に存在する任意の垂直逸脱は、よりいっそう約０．５プリズムジオプタを上回る垂直不平衡および／または複視をもたらす。ルーペアセンブリ８００におけるように、拡大眼鏡１３００内に存在する逸脱を水平平面に正しく整列させることによって、逸脱は、作業距離ｆにおいてさえ、実践者１３９０にとって約０．５プリズムジオプタを上回る垂直不平衡および／または複視を回避し得る。
【０１６０】
さらに、本開示の例証的実施形態は、以下を含む。
１．接眼レンズ望遠鏡デバイスの垂直逸脱を防止するための接眼レンズ整列リングであって、望遠鏡デバイスは、拡大レンズを含み、ルーペ担体フレームの係留デバイスの中への交換可能挿入のために構成され、リングは、係留デバイスの対応する割出切り欠きと噛合するように構成される、割出突起を備え、リングは、望遠鏡デバイスの回転整列に応じて、望遠鏡デバイスに固定されるように構成される、整列リング。
２．割出突起は、係留デバイスの中への望遠鏡デバイスの挿入後、外部から視認可能であるように構成される、実施形態１に記載の整列リング。
３．物体を拡大するためのルーペデバイスであって、ルーペデバイスは、近位端および遠位端を含み、
ルーペアンカであって、
補正レンズと、
第１の外部幾何学形状と、
を含む、ルーペアンカと、
錘を有する取替可能望遠鏡であって、
１つまたはそれを上回る拡大レンズと、
第１の幾何学形状と噛合し、アンカに対する望遠鏡の回転を防止するように構成される、第２の外部幾何学形状と、
を含む、取替可能望遠鏡と、
を備え、望遠鏡とアンカの組立に応じて、取替可能望遠鏡は、その間の磁気引力によってアンカに保持され、磁気引力は、力に耐えるために十分である、ルーペデバイス。
４．   取替可能望遠鏡は、１つまたはそれを上回る磁気要素を含み、アンカ本体は、磁気引力を提供するように配向および構成される、１つまたはそれを上回る磁石を含む、実施形態３に記載のルーペデバイス。
５．   磁石は、縦軸を近位および遠位端間に画定する、伸長円筒形形状を備え、遠位端は、磁気引力を提供するように配向される、実施形態４に記載のルーペデバイス。
６．   磁気要素は、鋼鉄リングを備える、実施形態４に記載のルーペデバイス。
７．   望遠鏡に組み立てられる割出リングは、第２の幾何学形状を含む、実施形態３に記載のルーペデバイス。
８．   割出リングは、望遠鏡とアンカの組立に応じて、望遠鏡の光学軸の垂直逸脱を防止するように構成される回転配向において、望遠鏡に添着される、実施形態７に記載のルーペデバイス。
９．   手技の間、物体を拡大するための双眼ルーペシステムであって、実施形態３に記載の一対のルーペデバイスを備え、
担体レンズフレームと、
一対の担体レンズと、
をさらに備え、ルーペデバイスは、担体レンズ内に埋設され、担体レンズは、担体レンズフレームに取り付けられる、ルーペシステム。
１０．物体を拡大するためのルーペデバイスであって、ルーペデバイスは、軸をその近位および遠位端間に画定し、
アンカアセンブリであって、
遠位外部幾何学形状を伴う、アンカ本体と、
１つまたはそれを上回る磁石と、
補正レンズと、
を含む、アンカアセンブリと、
取替可能望遠鏡アセンブリであって、
取替可能望遠鏡と、
磁気要素と、
アンカ本体遠位外部幾何学形状と噛合するために構成される近位外部幾何学形状を含む、割出リングと、
を含む、取替可能望遠鏡アセンブリと、
を備え、
取替可能望遠鏡アセンブリは、磁石と磁気要素との間の磁気引力によってアンカアセンブリに保持されるように構成され、
割出リング外部幾何学形状は、望遠鏡アセンブリとアンカアセンブリの組立に応じて、望遠鏡アセンブリがアンカアセンブリに対して回転固定される、アンカ外部幾何学形状と整列および噛合するように構成される、
ルーペデバイス。
１１．複視を防止するように構成され、遠位端および近位端を有する、取替可能ルーペデバイスであって、
アンカアセンブリであって、
遠位アンカ本体外部幾何学形状を含む、アンカ本体と、
１つまたはそれを上回る磁石と、
アンカカバーと、
アンカカバーを磁石を中心としてアンカ本体に固定する、１つまたはそれを上回る締結具と、
補正レンズと、
補正レンズ保定リングと、
を含む、アンカアセンブリと、
取替可能望遠鏡アセンブリであって、
取替可能望遠鏡と、
磁気要素と、
アンカ本体外部幾何学形状と噛合するための近位割出リング外部幾何学形状を含む、割出リングと、
を含む、取替可能望遠鏡アセンブリと、
を備え、
取替可能望遠鏡アセンブリは、磁石と磁気要素との間の磁気引力によってアンカアセンブリに保持されるように構成され、
割出リング外部幾何学形状は、望遠鏡アセンブリとアンカアセンブリの組立に応じて、望遠鏡アセンブリがアンカアセンブリに対して回転固定されるように、アンカ外部幾何学形状と整列および噛合するように構成される、
ルーペデバイス。
１２．１つまたはそれを上回る磁石は、円筒形である、実施形態１１に記載のルーペデバイス。
１３．手技の間、物体を拡大するための双眼ルーペシステムであって、実施形態１１に記載の一対のルーペデバイスを備え、
担体レンズフレームと、
一対の担体レンズと、
をさらに備え、ルーペデバイスは、担体レンズ内に埋設され、担体レンズは、担体レンズフレームに取り付けられる、双眼ルーペシステム。
１４．手技の間、物体を拡大するための双眼ルーペシステムであって、
双眼アンカ装置であって、
担体レンズフレームと、
一対の担体レンズと、
一対の固定されたアンカアセンブリであって、それぞれ、
その遠位端にアンカ外部幾何学形状を含む、アンカ本体と、
１つまたはそれを上回る円筒形磁石と、
アンカカバーと、
アンカカバーを円筒形磁石を中心としてアンカ本体に固定する、締結具と、
補正レンズと、
補正レンズ保定リングと、
を含む、一対の固定されたアンカアセンブリと、
を有する、双眼アンカ装置と、
１つまたはそれを上回る対の取替可能望遠鏡アセンブリであって、各対が、
取替可能望遠鏡と、
割出リング外部幾何学形状をその近位端に含む、割出リングと、
磁気要素と、
を含む、１つまたはそれを上回る対の取替可能望遠鏡アセンブリと、
を備え、
取替可能望遠鏡アセンブリは、磁石と磁気要素との間の磁気引力によってアンカアセンブリに保持されるように構成され、
割出リング外部幾何学形状は、望遠鏡アセンブリとアンカアセンブリの組立に応じて、望遠鏡アセンブリがアンカアセンブリに対して回転固定されるように、アンカ外部幾何学形状と整列および噛合するように構成される、
双眼ルーペシステム。
１５．双眼ルーペシステムを製造する方法であって、双眼ルーペシステムは、１）担体レンズフレームと、２）一対の担体レンズと、３）一対の固定されるアンカアセンブリであって、それぞれ、アンカ本体と、１つまたはそれを上回る磁石と、アンカカバーと、アンカカバーを磁石を中心としてアンカ本体に固定するための１つまたはそれを上回る締結具と、補正レンズと、補正レンズ保定リングとを含む、アンカアセンブリと、４）一対の取替可能望遠鏡アセンブリであって、アンカアセンブリの遠位端への可撤性組立のために構成される近位端を有し、取替可能望遠鏡と、磁気要素と、アンカ本体の遠位幾何学形状に対応する近位外部幾何学形状を含む、回転割出リングとを含む、望遠鏡アセンブリとを含み、
担体レンズを担体フレームに添着するステップと、
磁石をアンカ本体の中に挿入するステップと、
締結具をアンカ本体およびアンカカバーを通して螺入するステップと、
補正レンズをアンカ本体の中に挿入するステップと、
補正レンズ保定リングをアンカカバーの中に添着するステップと、
アンカアセンブリを担体レンズの中に添着するステップと、
磁気要素を取替可能望遠鏡の中に添着するステップと、
割出リングの幾何学形状が近位端に面するように、割出リングを望遠鏡の近位端にわたって挿入するステップと、
望遠鏡を回転整列し、望遠鏡の光学軸の垂直逸脱を防止するステップと、
割出リングを望遠鏡に固定し、望遠鏡とアンカ本体の組立に応じて、望遠鏡の光学軸の垂直逸脱を防止するステップと、
を含む、方法。
１６．カスタム取替可能ルーペ望遠鏡デバイスを製造する方法であって、デバイスは、担体レンズによって保持される係留デバイスの遠位端の中への挿入のために構成される近位端を有し、
割出リングの割出幾何学形状が近位に面するように、割出リングを望遠鏡デバイスの近位端にわたって挿入するステップと、
望遠鏡デバイスを回転整列させるステップと、
割出リングを望遠鏡デバイスに固定するステップと、
を含み、幾何学形状は、係留デバイスの対応する割出幾何学形状と噛合するように構成される、方法。
１７．整列させるステップは、試験具上でレーザ整列させるステップを含む、実施形態１６に記載の方法。
１８．割出リングの割出幾何学形状は、突起を含み、係留デバイスの割出幾何学形状は、切り欠きを含む、実施形態１６に記載の方法。
１９．割出リングの割出幾何学形状は、切り欠きを含み、係留デバイスの割出幾何学形状は、突起を含む、実施形態１６に記載の方法。
２０．ルーペデバイスを組み立てる方法であって、ルーペデバイスは、一対の取替可能望遠鏡と、一対の望遠鏡アンカとを含み、望遠鏡は、アンカの対応する幾何学形状と噛合するための幾何学形状を含み、
望遠鏡の幾何学形状とアンカの対応する幾何学形状を整列させるステップと、
望遠鏡をアンカの中に挿入するステップと、
を含み、望遠鏡幾何学形状の表面は、組み立てられたルーペデバイス内で可視である、方法。
【０１６１】
したがって、ルーペデバイスのための取替可能望遠鏡アセンブリの回転整列のための装置および方法が、提供される。当業者であれば、本開示が、限定ではなく、例証目的のために提示される、説明された実施形態以外によっても実践されることができることを理解するであろう。本開示は、以下の請求項のみによって限定される。
【図１】
2019008273.tif 000003
【図２】
2019008273.tif 000004
【図３】
2019008273.tif 000005
【図４】
2019008273.tif 000006
【図５】
2019008273.tif 000007
【図６】
2019008273.tif 000008
【図７】
2019008273.tif 000009
【図８】
2019008273.tif 000010
【図９】
2019008273.tif 000011
【図１０】
2019008273.tif 000012
【図１１】
2019008273.tif 000013
【図１２】
2019008273.tif 000014
【図１３Ａ】
2019008273.tif 000015
【図１３Ｂ】
2019008273.tif 000016
【外国語明細書】
2019008273000001.pdf